(57)【要約】【課題】エネルギーを効率良く使用すると共に、低輝度時、ローコントラスト時の合焦精度を向上させることのできるカメラを提供することである。【解決手段】低輝度若しくは低コントラストの被写体に対して、補助光を照射して焦点検出を行うカメラ１に於いて、補助光用ＬＥＤ９５によって第１の補助光が照射され、第内蔵ストロボユニット４０によって補助光用ＬＥＤ９５よりも消費エネルギーの多い第２の補助光が照射される。そして、上記補助光用ＬＥＤ９５から補助光を照射しても焦点検出が不能な場合には、Ｂμｃｏｍ８０の制御によって内蔵ストロボユニット４０から第２の補助光が照射されて焦点検出が行われる。【選択図】      図３
2007121427.tif 000002
【特許請求の範囲】
【請求項１】
低輝度若しくは低コントラストの被写体に対して、補助光を照射して焦点検出を行うカメラに於いて、
第１の補助光手段と、
上記第１の補助光手段よりも消費エネルギーの多い第２の補助光手段と、
上記第１の補助光手段から補助光を照射しても焦点検出が不能な場合には、上記第２の補助光手段から補助光を照射して焦点検出を行うように制御する制御手段と、
を具備することを特徴とするカメラ。
【請求項２】
上記第２の補助光手段は、上記第１の補助光手段よりも撮影レンズの光軸から遠い位置に配置されていることを特徴とする請求項１に記載のカメラ。
【請求項３】
上記第１の補助光手段の照射光が撮影レンズによって遮られる範囲は、上記第２の補助光手段よりも広いことを特徴とする請求項１に記載のカメラ。
【請求項４】
上記第１の補助光手段は発光ダイオードで構成され、上記第２の補助光手段はストロボ装置で構成されることを特徴とする請求項１乃至３の何れか１に記載のカメラ。
【請求項５】
上記第２の補助光手段は、上記カメラの内蔵ストロボ装置若しくは上記カメラに装着可能な外部ストロボ装置であることを特徴とする請求項４に記載のカメラ。
【請求項６】
撮影レンズの焦点を調節して被写体を測距可能な測距手段と、
焦点調節の際に上記被写体が低輝度若しくは低コントラストか否かを判定する判定手段と、
上記被写体に向けて第１の補助光を照射する第１の補助光手段と、
上記第１の補助光手段よりも消費エネルギーの多い第２の補助光手段と、
上記判定手段で上記被写体が低輝度若しくは低コントラストであると判定された場合に上記第１の補助光手段から補助光を照射して焦点検出を行うように制御し、上記第１の補助光手段から補助光を照射しても焦点検出が不能な場合に上記第２の補助光手段から補助光を照射して焦点検出を行うように制御する制御手段と、
を具備することを特徴とするカメラ。
【請求項７】
上記第２の補助光手段は、上記第１の補助光手段よりも撮影レンズの光軸から遠い位置に配置されていることを特徴とする請求項６に記載のカメラ。
【請求項８】
上記第１の補助光手段の照射光が撮影レンズによって遮られる範囲は、上記第２の補助光手段よりも広いことを特徴とする請求６に記載のカメラ。
【請求項９】
上記第１の補助光手段は発光ダイオードで構成され、上記第２の補助光手段はストロボ装置で構成されることを特徴とする請求項６に記載のカメラ。
【請求項１０】
上記第１の補助光手段は発光ダイオードで構成され、上記第２の補助光手段はストロボ装置で構成されることを特徴とする請求項７に記載のカメラ。
【請求項１１】
上記第１の補助光手段は発光ダイオードで構成され、上記第２の補助光手段はストロボ装置で構成されることを特徴とする請求項８に記載のカメラ。
【請求項１２】
上記第２の補助光手段は、上記カメラの内蔵ストロボ装置若しくは上記カメラに装着可能な外部ストロボ装置であることを特徴とする請求項９乃至１１の何れか１に記載のカメラ。
【請求項１３】
上記制御手段は、上記第２の補助光手段を照射するように制御する際は上記第１の補助光手段を消灯させるように制御することを特徴とする請求項７に記載のカメラ。
【発明の詳細な説明】
【技術分野】
【０００１】
本発明はカメラに関し、より詳しくは、低輝度時、ローコントラスト時の合焦精度を向上させたカメラに関するものである。
【背景技術】
【０００２】
通常、自動測距（オートフォーカス；ＡＦ）機能を有したカメラでは、被写体が様々な条件で与えられるため、被写体が暗い場合にはＡＦ補助光としてストロボ（登録商標）を連続して発光させる。こうしたストロボを使用した撮影は、エネルギーが強くて遠い被写体に対して有利である。
【０００３】
ところで、ＡＦ補助光として、複数の発光ダイオード（ＬＥＤ）を発光させるカメラや、セルフタイマ用のＬＥＤとストロボを備えて、セルフタイマ時にはＬＥＤをＡＦ補助光として使用するカメラは公知である。
【０００４】
また、上述したストロボに加えてＬＥＤを備え、ストロボによるＡＦ補助光を照射してコントラストが所定値以下であればＬＥＤを投光して焦点検出を行うカメラが知られている（例えば、特許文献１参照）。
【特許文献１】特開２００２−１３９６６４号公報
【発明の開示】
【発明が解決しようとする課題】
【０００５】
しかしながら、上述した特許文献１に開示されているようなカメラの場合、上述したように、ストロボを使用するとそのエネルギーが強いために消費電流が多くなる。ＬＥＤを投光する場合でも、先にストロボによる補助光を発光させるため、多大なエネルギーを必要とするという課題を有している。
【０００６】
したがって、本発明は上記課題に鑑みてなされたものであり、その目的は、エネルギーを効率良く使用すると共に、低輝度時、ローコントラスト時の合焦精度を向上させることのできるカメラを提供することである。
【課題を解決するための手段】
【０００７】
すなわち請求項１に記載の発明は、低輝度若しくは低コントラストの被写体に対して、補助光を照射して焦点検出を行うカメラに於いて、第１の補助光手段と、上記第１の補助光手段よりも消費エネルギーの多い第２の補助光手段と、上記第１の補助光手段から補助光を照射しても焦点検出が不能な場合には、上記第２の補助光手段から補助光を照射して焦点検出を行うように制御する制御手段と、を具備することを特徴とする。
【０００８】
請求項２に記載の発明は、請求項１に記載の発明に於いて、上記第２の補助光手段は、上記第１の補助光手段よりも撮影レンズの光軸から遠い位置に配置されていることを特徴とする。
【０００９】
請求項３に記載の発明は、請求項１に記載の発明に於いて、上記第１の補助光手段の照射光が撮影レンズによって遮られる範囲は、上記第２の補助光手段よりも広いことを特徴とする。
【００１０】
請求項４に記載の発明は、請求項１乃至３の何れか１に記載の発明に於いて、上記第１の補助光手段は発光ダイオードで構成され、上記第２の補助光手段はストロボ装置で構成されることを特徴とする。
【００１１】
請求項５に記載の発明は、請求項４に記載の発明に於いて、上記第２の補助光手段は、上記カメラの内蔵ストロボ装置若しくは上記カメラに装着可能な外部ストロボ装置であることを特徴とする。
【００１２】
請求項６に記載の発明は、撮影レンズの焦点を調節して被写体を測距可能な測距手段と、焦点調節の際に上記被写体が低輝度若しくは低コントラストか否かを判定する判定手段と、上記被写体に向けて第１の補助光を照射する第１の補助光手段と、上記第１の補助光手段よりも消費エネルギーの多い第２の補助光手段と、上記判定手段で上記被写体が低輝度若しくは低コントラストであると判定された場合に上記第１の補助光手段から補助光を照射して焦点検出を行うように制御し、上記第１の補助光手段から補助光を照射しても焦点検出が不能な場合に上記第２の補助光手段から補助光を照射して焦点検出を行うように制御する制御手段と、を具備することを特徴とする。
【００１３】
請求項７に記載の発明は、請求項６に記載の発明に於いて、上記第２の補助光手段は、上記第１の補助光手段よりも撮影レンズの光軸から遠い位置に配置されていることを特徴とする。
【００１４】
請求項８に記載の発明は、請求項６に記載の発明に於いて、上記第１の補助光手段の照射光が撮影レンズによって遮られる範囲は、上記第２の補助光手段よりも広いことを特徴とする。
【００１５】
請求項９に記載の発明は、請求項６に記載の発明に於いて、上記第１の補助光手段は発光ダイオードで構成され、上記第２の補助光手段はストロボ装置で構成されることを特徴とする。
【００１６】
請求項１０に記載の発明は、請求項７に記載の発明に於いて、上記第１の補助光手段は発光ダイオードで構成され、上記第２の補助光手段はストロボ装置で構成されることを特徴とする。
【００１７】
請求項１１に記載の発明は、請求項８に記載の発明に於いて、上記第１の補助光手段は発光ダイオードで構成され、上記第２の補助光手段はストロボ装置で構成されることを特徴とする。
【００１８】
請求項１２に記載の発明は、請求項９乃至１１の何れか１に記載の発明に於いて、上記第２の補助光手段は、上記カメラの内蔵ストロボ装置若しくは上記カメラに装着可能な外部ストロボ装置であることを特徴とする。
【００１９】
請求項１３に記載の発明は、請求項７に記載の発明に於いて、上記制御手段は、上記第２の補助光手段を照射するように制御する際は上記第１の補助光手段を消灯させるように制御することを特徴とする。
【発明の効果】
【００２０】
本発明によれば、エネルギーを効率良く使用すると共に、低輝度時、ローコントラスト時の合焦精度を向上させることのできるカメラを提供することができる。
【発明を実施するための最良の形態】
【００２１】
以下、図面を参照して、本発明の実施形態を説明する。
【００２２】
（第１の実施形態）
図１及び図２は、本発明に係る一眼レフレックスタイプのデジタルカメラの外観構成を示すもので、図１はストロボ発光ユニットを収納した状態のカメラを左側後方より見た斜視図、図２はカメラの内蔵ストロボユニットをポップアップし、且つ外部ストロボ装置を装着した状態のカメラの正面図である。
【００２３】
この一眼レフレックスタイプのデジタルカメラ（以下、カメラと略記する）１は、交換レンズとしてのレンズ鏡筒１０と、カメラ本体２０から主に構成されている。カメラ本体２０の前面には、所望のレンズ鏡筒１０が着脱自在に設定されている。また、カメラ本体２０の前面で、詳細を後述する内蔵ストロボユニット４０の近傍には、後述するＡＦ補助光用ＬＥＤ（ＬＥＤ）９５用のＬＥＤ発光窓３６が設けられている。
【００２４】
カメラ本体２０の上面には、レリーズ釦２１と、モードダイヤル２２と、パワースイッチレバー２３と、コントロールダイヤル２４等と、後述する外部ストロボ装置５０を装着するための接続部であるホットシュー３５及び内蔵ストロボユニット４０が設けられている。
【００２５】
レリーズ釦２１は、撮影準備動作及び露光動作を実行させるための釦である。このレリーズ釦２１は、第１レリーズスイッチと第２レリーズスイッチの２段式のスイッチで構成されており、レリーズ釦２１が半押し操作されることによって、第１レリーズスイッチがオンされて測光処理や測距処理などの撮影準備動作が実行される。また、レリーズ釦２１が全押し操作されることによって、第２レリーズスイッチがオンされて露光動作が実行される。
【００２６】
モードダイヤル２２は、撮影時の撮影モードを設定するための手動操作部材である。このモードダイヤル２２が所定方向に回転操作されることによって、撮影時の撮影モードが設定される。パワースイッチレバー２３は、当該カメラ１の電源のオン／オフをするための操作部材である。このパワースイッチレバー２３が回動操作されることにより、当該カメラ１のメイン電源のオン／オフが切り換えられる。
【００２７】
コントロールダイヤル２４は、撮影情報の設定を行うための部材である。このコントロールダイヤル２４が操作されることにより、撮影時に種々の設定が行われる。
【００２８】
ボディユニット２０の背面部には、撮影画像やメニュー等を表示するための表示手段を構成する液晶モニタ２６と、再生釦２７と、メニュー釦２８と、十字キー３０と、ＯＫ釦３１と、接眼光学系のファインダ３３と、ポップアップ釦３４等が配置されている。
【００２９】
上記再生釦２７は、カメラ１の動作モードを、後述するＳＤＲＡＭ８３や記録用のメディア８５に記録されたＪＰＥＧファイルから画像を再生できる再生モードに切り換えるための釦である。メニュー釦２８は、液晶モニタ２６にメニュー画面を表示させるための釦である。このメニュー画面は、複数の階層構造から成るメニュー項目によって構成されている。ユーザは、所望のメニュー項目を十字キー３０で選択することができ、ＯＫ釦３１で選択した項目を決定することができる。例えば、後述するＡＦセンサユニット７４の出力に応じて撮影レンズを駆動する第１の焦点調節モードであるオートフォーカス（ＡＦ）モードと、撮影者の手動操作に応じて撮影レンズを駆動する第２の焦点調節モードであるマニュアルフォーカス（ＭＦ）モードの切り替えについても、このメニュー項目に含まれている。
【００３０】
更に、ポップアップ釦３４は、この釦を押下することで、通常、カメラ本体２０の上部に収納されている内蔵ストロボユニット４０を、使用時に、図１及び図２に示されるようにポップアップさせるために設けられている。
【００３１】
図３は、本発明の第１の実施形態に係るカメラのシステム構成を示すブロック図である。
【００３２】
図３に於いて、上記レンズ鏡筒１０は、上記カメラ本体２０の前面に設けられた、図示されないレンズマウントを介して着脱自在に装着可能である。そして、上記レンズ鏡筒１０は、撮影レンズ１１と、絞り１２と、レンズ駆動機構１３と、絞り駆動機構１４と、レンズ制御用マイクロコンピュータ（以下、Ｌμｃｏｍと略記する）１５とから構成されている。
【００３３】
上記撮影レンズ１１は、レンズ駆動機構１３内に存在する図示されないＤＣモータによって、光軸方向に駆動される。絞り１２は、絞り駆動機構１４内に存在する図示されないステッピングモータによって駆動される。また、Ｌμｃｏｍ１５は、上記レンズ駆動機構１３や絞り駆動機構１４等、レンズ鏡筒１０内の各部を駆動制御する。このＬμｃｏｍ１５は、通信コネクタ１８を介して、後述するボディ制御用マイクロコンピュータ８０と電気的に接続（通信）がなされ、該ボディ制御用マイクロコンピュータ８０の指令に従って制御される。上記Ｌμｃｏｍ１５には、レンズの種類、開放絞り値、焦点距離等の基本データが格納されており、上記通信によってボディ制御用マイクロコンピュータ８０に伝達される。
【００３４】
一方、カメラ本体２０は、以下のように構成されている。
【００３５】
レンズ鏡筒１０内の撮影レンズ１１、絞り１２を介して入射される図示されない被写体からの光束は、可動ミラーである反射ミラー６１で反射され、ファインダ光学系を構成するポロプリズム６２を介して接眼レンズ６３に至る。また、反射ミラー６１のハーフミラーの部分を透過した被写体光束の一部は、該反射ミラー６１とは独立して作動するＡＦ用可動ミラー７３で反射されて、自動測距を行うためのＡＦセンサユニット７４に導かれる。
【００３６】
光軸上で上記反射ミラー６１の後方には、フォーカルプレーン式のシャッタ部６６と、防塵フィルタ６７を経て光学系を通過した被写体像を光電変換するための撮像光学系の光電変換素子であり、ＣＣＤ等で構成される撮影用の撮像素子６８が設けられている。つまり、反射ミラー６１が撮影光路より退避した場合、撮影レンズ１１及び絞り１２を通った光束は、撮像素子６８の撮像面上に結像される。
【００３７】
上記撮像素子６８は、撮像インターフェイス回路８１を介して、画像処理を行うための画像処理コントローラ８２に接続されている。そして、この画像処理コントローラ８２には、上述した液晶モニタ２６と、記憶領域として設けられたバッファメモリ（ＳＤＲＡＭ）８３、ＦｌａｓｈＭｅｍｏｒｙ  ８４及び記録メディア８５等が接続されている。
【００３８】
つまり、撮像素子６８で得られた電気信号（画像信号）は、所定タイミング毎に撮像インターフェイス回路８１を介して読み出されてデジタル化される。この撮像インターフェイス回路８１でデジタル化されて得られた画像データは、画像処理コントローラ８２を介してバッファメモリ８３に格納される。また、バッファメモリ８３は、画像データ等のデータの一時保管用メモリであり、画像データに各種処理が施される際のワークエリア等に利用される。
【００３９】
上記記録メディア８５は、図示されないカメラのインターフェイスを介してカメラ本体２０に対し脱着可能な各種のメモリカードや外付けのハードディスクドライブ（ＨＤＤ）等の外部記録媒体である。
【００４０】
上記画像処理コントローラ８２は、図示されない測光センサを含む測光回路８８と、ＡＦセンサ駆動回路７５と、ミラー駆動機構７６と、シャッタチャージ機構７７と、シャッタ制御回路７８と、不揮発性メモリ（ＥＥＰＲＯＭ）９１と共に、このカメラ本体２０内の各部を制御するための制御手段及び判定手段であるボディ制御用マイクロコンピュータ（以下、Ｂμｃｏｍと略記する）８０に接続されている。
【００４１】
上記撮像素子６８は、該撮像素子６８とシャッタ部６６との間に配設された防塵フィルタ６７によって保護されている。防塵フィルタ６７は、例えばガラス等の透明部材で構成されている。そして、防塵フィルタ６７の周縁部には、この防塵フィルタ６７を所定の振動周波数で振動させるための圧電素子６９が取り付けられている。圧電素子６９は、２つの電極を有しており、防塵フィルタ駆動回路９０によって駆動される。また、防塵フィルタ駆動回路９０の制御はＢμｃｏｍ８０によって行われる。防塵フィルタ駆動回路９０によって圧電素子６９を振動させることによって、防塵フィルタ６９が振動する。これによって、防塵フィルタ６９の表面に付着した塵埃が払い落とされる。
【００４２】
ここで、撮像素子６８と圧電素子６９とは、防塵フィルタ６７を一面とするケース内に一体的に収納されている。これにより、撮像素子６８への塵埃の付着を確実に防止することができる。
【００４３】
また、撮像ユニット７０の近傍には、温度測定回路８９が設けられている。通常、温度はガラス製の物材の弾性係数に影響する。つまり、温度の変化は防塵フィルタ６７の固有振動数を変化させる要因の１つとなるため、防塵フィルタ６７を振動させる際には、常にその周辺温度が計測されるようにしている。尚、温度測定回路８９の温度測定ポイントは防塵フィルタ６７の振動面の極近傍に設定することが好ましい。このように、温度の変化を考慮しながら防塵フィルタ６７の振動を制御することにより、常に最適な条件で防塵フィルタ６７を振動させることが可能である。
【００４４】
上記Ｂμｃｏｍ８０には、また、駆動回路９４を介して、第１の補助光手段である補助光用ＬＥＤ９５と、当該カメラ１の動作状態を表示出力によって撮影者へ告知するための動作表示用ＬＣＤ９６と、カメラ操作スイッチ（ＳＷ）９７と、電源回路９８を介して電池９９とが接続されている。
【００４５】
尚、上記Ｂμｃｏｍ８０とＬμｃｏｍ１５とは、レンズ鏡筒１０の装着時に於いて、通信コネクタ１８を介して通信可能に電気的接続がなされる。そして、デジタルカメラとして、Ｌμｃｏｍ１５がＢμｃｏｍ８０に従属的に協働しながら稼動するようになっている。
【００４６】
上記ＡＦセンサ駆動回路７５は上記ＡＦセンサユニット７４を駆動制御するための回路であり、ミラー駆動機構７６は反射ミラー６１を駆動制御する機構である。また、シャッタチャージ機構７７は、上記シャッタ部６６を構成する図示されない先幕と後幕を駆動するばねをチャージするものである。シャッタ制御回路７８は、上記シャッタ部６６の先幕と後幕の動きを制御すると共に、Ｂμｃｏｍ８０との間でシャッタの開閉動作を制御する信号の授受を行う。また、上記測光回路８８は、ポロプリズム６２近傍の図示されない測光センサの電気信号に基づいて測光処理する回路である。
【００４７】
不揮発性メモリ９１は、上述したバッファメモリ８３、ＦｌａｓｈＭｅｍｏｒｙ８４、記録メディア８５以外の記憶領域として、カメラ制御に必要な所定の制御パラメータを記憶する記憶手段であり、Ｂμｃｏｍ８０からアクセス可能に設けられている。
【００４８】
動作表示用ＬＣＤ９６は、当該カメラの動作状態を表示出力によってユーザへ告知するためのものである。上記カメラ操作スイッチ９７は、例えば撮影動作の実行を指示すると共に後述するように反射ミラー６１を撮影光路の内外に切り換えるレリーズスイッチ、撮影モードと画像表示モードを切り換えるモード変更スイッチ及びパワースイッチ、等、当該カメラ１を操作するために必要な操作釦を含むスイッチ群で構成される。更に、電源回路９８は、電源としての電池９９の電圧を、当該カメラシステムの各回路ユニットが必要とする電圧に変換して供給するために設けられている。
【００４９】
更に、Ｂμｃｏｍ８０には、内蔵ストロボユニット４０と、通信コネクタ５８を介して外部ストロボ装置５０とが接続される。
【００５０】
内蔵ストロボユニット４０は第２の補助光手段として構成されるもので、発光管（Ｘｅ管）４２を含む内蔵ストロボ発光部４１と、図示されない充電コンデンサと、充電回路４３と、発光回路４４及び充電電圧検知回路４５とを有して構成される。
【００５１】
上記充電回路４３は、充電コンデンサを所定の電圧まで充電させる回路である。また、上記発光回路４４は、充電された上記充電コンデンサの充電電圧を用いて、ストロボ光を発光させる上記Ｘｅ管４２を駆動制御する。そして、上記充電電圧検知回路４５は、充電回路４３による充電コンデンサの充電状態を検出し、該充電コンデンサが充分に充電されていると判断した場合に充電回路４３による充電動作を停止させ、充電コンデンサの充電電圧が未だ不十分であると判断した場合に充電回路４３の充電動作を継続させる。
【００５２】
一方、外部ストロボ装置５０はもう一つの第２の補助光手段であり、カメラ本体２０の正置時に於ける上面部に設けられたホットシュー３５（通信コネクタ５８）に対して着脱可能な構成となっている。したがって、ユーザは、所望の外部ストロボ装置をカメラ本体２０に取り付けることができる。そして、この外部ストロボ装置５０は、発光管（Ｘｅ管）５２を含む内蔵ストロボ発光部５１と、図示されない充電コンデンサと、充電回路５３と、発光回路５４と、充電電圧検知回路５５と、ストロボ制御用マイクロコンピュータ（以下、Ｓμｃｏｍと略記する）５７とを有して構成される。
【００５３】
上記充電回路５３は、上記充電コンデンサを所定の電圧まで充電させる。また、上記発光回路５４は、充電コンデンサに充電された電圧を用いて上記Ｘｅ管５２を駆動制御する。そして、上記充電電圧検知回路５５は、上記充電回路５３による充電コンデンサの充電状態を検出し、該充電コンデンサが充分に充電されていると判断した場合に充電回路５３の充電動作を停止させ、上記充電コンデンサの充電電圧が未だ不十分であると判断した場合には充電回路５３の充電動作を継続させる。
【００５４】
また、上記外部ストロボ装置５０の制御は、Ｓμｃｏｍ５７によって行われる。このＳμｃｏｍ５７とＢμｃｏｍ８０とは、外部ストロボ装置５０のカメラ本体２０への取り付け時に、ホットシュー３５（通信コネクタ５８）を介して、通信可能なように電気的接続がなされる。この電気的接続がなされた後、上記Ｓμｃｏｍ５７が、上記Ｂμｃｏｍ８０に従属的に協働しながら稼動する。
【００５５】
また、上記外部ストロボ装置５０は、特に図示はしていないが、カメラ本体２０に於ける電源（電池９９）とは異なる電源（具体的には、例えば電池やＡＣアダプタ等）を有している。したがって、外部ストロボ装置５０は、この電源（不図示）より電力が供給される。
【００５６】
次に、図４乃至図８を参照して、レンズ鏡筒１０等により発生する「ケラレ」について説明する。
【００５７】
カメラ１内の補助光用ＬＥＤ９５、内蔵ストロボユニット４０及び外部ストロボ装置５０から照射される光は、カメラのレンズ鏡筒１０やレンズフード１６の先端等によって遮られる、ケラレが発生する。
【００５８】
図４は、補助光用ＬＥＤ９５を照射した場合のケラレについて説明するもので、カメラ１の上面側から見た図、図５は内蔵ストロボユニット４０を照射した場合のケラレについて説明するもので、カメラ１の側面側から見た図である。図６は補助光用ＬＥＤ９５の照射範囲を示したもので、（ａ）はカメラ１の側方より見た図、（ｂ）は補助光用ＬＥＤの照射範囲とケラレ発生領域を説明する図、図７は内蔵ストロボユニット４０の照射範囲を示したもので、（ａ）はカメラ１の側方より見た図、（ｂ）は内蔵ストロボユニットの照射範囲とケラレ発生領域を説明する図、図８は外部ストロボ装置５０を照射した場合のケラレについて説明するもので、カメラ１の側面側から見た図である。
【００５９】
図４に於いて、ＬＥＤ発光窓３６を通じて照射される補助光用ＬＥＤ９５の照射範囲１０１は、レンズ鏡筒１０によって左右対称にはならず、ケラレ発生領域１０２が生じる。また、図中破線で示されるように、レンズ鏡筒１０の先端にレンズフード１６が装着される場合は、このレンズフード１６によって更にケラレ発生領域１０１ａが生じて、補助光用ＬＥＤ９５による照射範囲は狭められる。
【００６０】
また、図５に於いて、内蔵ストロボ発光部４１を通じて照射される内蔵ストロボユニット４０の照射範囲１０４は、レンズ鏡筒１０によってケラレ発生領域１０５が生じる。また、図中破線で示されるように、レンズ鏡筒１０のレンズ先端１０ａにレンズフード１６が装着される場合は、このレンズフード１６によって更にケラレ発生領域１０５ａが生じて、ストロボ内蔵ユニット４０による照射範囲は狭められる。
【００６１】
ここで、図６及び図７を参照して、補助光用ＬＥＤ９５と内蔵ストロボユニット４０の照射範囲及びケラレ領域を比較する。
【００６２】
図６は補助光用ＬＥＤ９５から比較的近距離、例えば１〜２ｍ程度の被照射面１１０に補助光が照射された状態を示している。一方、図７は内蔵ストロボユニット４０から同一の被照射面１１０にストロボ光が照射された状態を示している。
【００６３】
補助光用ＬＥＤ９５の補助光は、レンズ鏡筒１０内の撮影レンズの光軸に近いため、被照射面１１０が比較的近距離の場合、レンズ鏡筒１０の先端またはレンズフード１６等によって光束がけられる。このケラレ領域が、測距センサの視野範囲にかかると測距不能になる虞れがある。
【００６４】
一方、内蔵ストロボユニット４０は、補助光用ＬＥＤ９５に比べてレンズ鏡筒１０内の撮影レンズの光軸から遠いため、補助光用ＬＥＤ９５に比べてケラレ領域が少ないという利点がある。
【００６５】
例えば、図６（ｂ）では、補助光用ＬＥＤ９５の照射範囲１０１に於いて、撮影視野範囲１１１及び測距線センサ視野範囲１１２に、ケラレ発生領域１０１ａがかかっている。これに対し、図７（ｂ）では、内蔵ストロボ４０の照射範囲１０４に於いて、撮影視野範囲１１１及び測距線センサ視野範囲１１２には、ケラレ発生領域１０４ａはかかっていないことがわかる。
【００６６】
図８に於いて、外部ストロボ発光部５１を通じて照射される外部ストロボ装置５０の照射範囲１０７は、レンズ鏡筒１０及び該レンズ鏡筒１０のレンズ先端和１０ａによって、ケラレ発生領域１０７、１０８が生じる。
【００６７】
次に、図９乃至図１２のフローチャートを参照して、本発明の第１の実施形態に於けるカメラの動作について説明する。尚、このカメラの動作は、主にＢμｃｏｍ８０の制御によって行われる。
【００６８】
図７は、第１の実施形態に於けるカメラ１の基本的な動作を説明するフローチャートである。
【００６９】
電池９３がカメラ本体２０内に装填されると本ルーチンが開始される。そして、先ず、ステップＳ１にてカメラの初期設定が行われる。次いで、ステップＳ２に於いて、パワースイッチレバー２３の操作状態が検出される。ここで、パワースイッチレバー２３が操作されて電源がオンされると、続くステップＳ３にて操作釦が検出される。そして、この操作釦の検出により、ステップＳ４にて釦・モードの変更処理がなされる。更に、ステップＳ５にてサブルーチン「常時測距」が実行される。
【００７０】
ここで、図１０のフローチャートを参照して、サブルーチン「常時測距」の動作について説明する。
【００７１】
図１０は、図９のフローチャートのステップＳ５に於けるサブルーチン「常時測距」の動作を説明するフローチャートである。
【００７２】
本サブルーチンに入ると、先ずステップＳ３１にてＡＦセンサユニット７４内のＡＦセンサによる積分が開始される。そして、ステップＳ３２にて積分が完了したならば、ステップＳ３３に移行して積分時間が検出される。これにより、明るさが検出される。次いで、ステップＳ３４にて上記ステップＳ３３で検出された積分時間とセンサ感度から、輝度情報（１）が換算されて更新される。次いで、ステップＳ３５に於いて、上記センサデータが所定値と比較されて、該センサデータが低い（暗い）か否かが判定される。ここで、センサデータが低い場合は、ステップＳ３６に移行して低輝度フラグがセットされる。一方、センサデータが低くなければステップＳ３７に移行して低輝度フラグがリセットされる。
【００７３】
次に、ステップＳ３８にてＡＦセンサのセンサデータが読み込まれると、更にステップＳ３９にて該センサデータについて演算処理がなされる。そして、ステップＳ４０に於いて、上記ステップＳ３９にてセンサデータが演算処理された結果、コントラストが低いか否かが判定される。ここで、コントラストが低いと判定された場合は、ステップＳ４１へ移行して上記ローコントラストフラグがセットされる。一方、コントラストが低くない場合はステップＳ４２へ移行して、所定のローコントラストフラグがリセットされる。
【００７４】
その後、ステップＳ４３にてデフォーカス量が演算され、更にステップＳ４４にて装着されているレンズ鏡筒１０のレンズ駆動量が演算されると、本サブルーチンを抜けて、図９のフローチャートに於けるステップＳ６へ移行する。
【００７５】
上記ステップＳ５にてサブルーチン「常時測距」が実行されると、続くステップＳ６では測光処理が行われる。次いで、ステップＳ７にて、液晶モニタ２６に露出情報が更新されて表示される。そして、ステップＳ８に於いて、レリーズ釦２１の半押し操作である第１レリーズ（１Ｒ）スイッチがオンされたか否かが判定される。ここで、第１レリーズスイッチがオンされていなければ上記ステップＳ２へ移行して以降の処理が繰り返される。一方、第１レリーズスイッチがオンされていれば、ステップＳ９にて測光処理が行われる。次いで、ステップＳ１０にて、サブルーチン「測距」が実行される。
【００７６】
ここで、図１１及び図１２のフローチャートを参照して、サブルーチン「測距」の動作について説明する。
【００７７】
図１１及び図１２は、図７のフローチャートのステップＳ１０に於けるサブルーチン「測距」の動作を説明するフローチャートである。
【００７８】
本サブルーチンに入ると、先ずステップＳ５１に於いて、前回の積分結果が低輝度であったか否かが判定される。ここで、低輝度であった場合は後述するステップＳ６７へ移行し、そうでない場合はステップＳ５２へ移行する。そして、ステップＳ５２では、前回の積分結果がローコントラストであったか否かが判定される。ここで、ローコントラストであった場合は後述するステップＳ６７へ移行し、そうでない場合はステップＳ５３へ移行する。
【００７９】
ステップＳ５３では、ＡＦセンサユニット７４内のＡＦセンサによる積分が開始される。そして、ステップＳ５４にて積分が完了したとされたならば、続くステップＳ５５にて積分時間が検出される。更に、ステップＳ５６では、上記ステップＳ５５で検出された積分時間とセンサ感度情報から、輝度情報（１）が換算されて更新される。
【００８０】
次に、ステップＳ５７に於いて、上記ステップＳ５６で得られたセンサデータの値が判定される。ここで、センサデータが低いと判定されたならば、ステップＳ５８に移行して低輝度のフラグがセットされた後、後述するステップＳ６７へ移行する。一方、センサデータが低くなければ、ステップＳ５９へ移行して低輝度フラグがリセットされる。次いで、ステップＳ６０にてＡＦセンサのセンサデータが読み込まれると、ステップＳ６１にて該センサデータについて演算処理がなされる。
【００８１】
そして、ステップＳ６２に於いて、上記ステップＳ６１にてセンサデータが演算処理された結果、コントラストが低いか否かが判定される。ここで、コントラストが低いと判定された場合は、ステップＳ６３へ移行して上記ローコントラストフラグがセットされたのち、後述するステップＳ６７へ移行する。一方、コントラストが低くない場合はステップＳ６４へ移行して、所定のローコントラストフラグがリセットされる。
【００８２】
その後、ステップＳ６５にてデフォーカス量が演算され、更にステップＳ６６にて装着されているレンズ鏡筒１０のレンズ駆動量が演算されると、本サブルーチンを抜けて、図９のフローチャートに於けるステップＳ１１へ移行する。
【００８３】
上記ステップＳ６７では、ＡＦセンサユニット７４内のＡＦセンサの積分が開始される。次いで、ステップＳ６８にて補助光用ＬＥＤ９５によるＡＦ補助光、すなわち補助光用ＬＥＤ９５が点灯される。この点灯は、ステップＳ６９にて積分が完了するまで続けられる。すなわち、ステップＳ６８及びＳ６９の処理が繰り返される。そして、ステップＳ７０にて、補助光用ＬＥＤ９５が消灯されると、続くステップＳ７１にて積分時間が検出される。更に、ステップＳ７２では、上記ステップＳ７１で検出された積分時間とセンサ感度情報から、輝度情報（２）が換算される。
【００８４】
次に、ステップＳ７３に於いて、上記ステップＳ７２及びＳ５６で得られた輝度情報（２）と輝度情報（１）との差と所定のスレッシュ１とが比較される。その結果、輝度値の差の方が大きければ後述するステップＳ８８へ移行する。一方、上記輝度値の差が上記スレッシュ１以下、すなわち補助光用ＬＥＤ９５では暗い場合は、ステップＳ７４に移行する。
【００８５】
ステップＳ７４では、内蔵ストロボユニット４０が発光可能な状態であるか否かが判定される。ここで、内蔵ストロボユニット４０が発光できない状態であれば後述するステップＳ８１へ移行し、発光可能な状態であればステップＳ７５へ移行する。尚、内蔵ストロボユニット４０が発光できない状態とは、例えば該内蔵ストロボユニット４０がカメラ本体２０に収納された状態や充電が完了していない状態等であり、発光可能な状態とは、ポップアップ釦３４が押されて内蔵ストロボユニット４０がポップアップされて充電が完了している状態である。
【００８６】
ステップＳ７５では、ＡＦセンサユニット７４内のＡＦセンサの積分が開始される。次いで、ステップＳ７６にて内蔵ストロボユニット４０の間欠発光によるＡＦ補助光が照射される。このＡＦ補助光の照射は、ステップＳ７７にて積分が完了するまで続けられる。すなわち、ステップＳ７６及びＳ７７の処理が繰り返される。積分が完了したならば、ステップＳ７８にて積分時間が検出される。更に、ステップＳ７９にて、上記ステップＳ７８で検出された積分時間とセンサ感度情報から、輝度情報（３）が換算される。
【００８７】
そして、ステップＳ８０に於いて、上記ステップＳ７９及びＳ５６で得られた輝度情報（３）と輝度情報（１）との差と所定のスレッシュ２とが比較される。その結果、輝度値の差の方が大きければ後述するステップＳ８８へ移行する。一方、上記輝度値の差が上記スレッシュ２以下、すなわち内蔵ストロボユニット４０の照射では暗い場合は、ステップＳ８１に移行する。
【００８８】
ステップＳ８１では、外部ストロボ装置５０が発光可能な状態であるか否かが判定される。ここで、外部ストロボ装置５０が発光できない状態、すなわち外部ストロボ装置５０がホットシュー３５に装着されていない、或いは充電が完了していない状態等の場合は、ステップＳ９１へ移行して測距不能表示が液晶モニタ２６になされる。その後、本サブルーチンを抜けて図９のフローチャートに於けるステップＳ１１へ移行する。
【００８９】
一方、上記ステップＳ８１にて、外部ストロボ装置５０が発光可能な状態、すなわち外部ストロボ装置５０が装着されて充電が完了している状態であれば、ステップＳ８２に移行して、ＡＦセンサユニット７４内のＡＦセンサの積分が開始される。次いで、ステップＳ８３にて外部ストロボ装置５０の間欠発光によるＡＦ補助光が照射される。このＡＦ補助光の照射は、ステップＳ８４にて積分が完了するまで続けられる。すなわち、ステップＳ８３及びＳ８４の処理が繰り返される。積分が完了したならば、ステップＳ８５にて積分時間が検出される。更に、ステップＳ８６にて、上記ステップＳ８５で検出された積分時間とセンサ感度情報から、輝度情報（４）が換算される。
【００９０】
そして、ステップＳ８７に於いて、上記ステップＳ８６及びＳ５６で得られた輝度情報（４）と輝度情報（１）との差と所定のスレッシュ３とが比較される。その結果、輝度値の差の方が大きければ後述するステップＳ８８へ移行し、上記輝度値の差が上記スレッシュ２以下であればステップＳ９１に移行する。
【００９１】
ステップＳ８８では、センサデータが読み込まれる。更に、ステップＳ８９にて、センサデータの演算が処理される。そして、ステップＳ９０に於いて、コントラストが低いか否かが判定される。ここで、まだコントラストが低い場合は、ステップＳ９１に移行して測距不能の表示が液晶モニタ２６になされる。その後、本サブルーチンを抜けて図９のフローチャートに於けるステップＳ１１へ移行する。
【００９２】
また、上記ステップＳ９０にてコントラストが高い場合は、ステップＳ９２に移行してローコントラストフラグがリセットされる。そして、ステップＳ９３にてデフォーカス量が演算されると、続くステップＳ９４にて、装着されているレンズ鏡筒１０のレンズ駆動量が演算された後、本サブルーチンを抜けて、図９のフローチャートに於けるステップＳ１１へ移行する。
【００９３】
図９のフローチャートに戻って、ＡＦモードであるステップＳ１０のサブルーチン「測距」が実行されると、続くステップＳ１１にて、測距・デフォーカス量が演算される。そして、続くステップＳ１２に於いて、撮影レンズ１１が合焦したか否かが判定される。ここで、合焦していればステップＳ１４へ移行するが、合焦していない場合は、ステップＳ１３へ移行して撮影レンズ１１が駆動された後、上記ステップＳ８へ移行して以降の処理が繰り返される。
【００９４】
ステップＳ１４では液晶モニタ２６に合焦表示がなされるか、若しくは図示されないがユーザにこくち部により合焦した旨の告知がなされる。次いで、ステップＳ１５に於いて、再度第１レリーズスイッチの状態が判定される。ここで、第１レリーズスイッチがオフならば上記ステップＳ２へ移行して以降の処理が繰り返される。一方、第１レリーズスイッチがオンならば、続くステップＳ１６に於いて、レリーズ釦２１の全押し操作である第２レリーズ（２Ｒ）スイッチがオンされたか否かが判定される。その結果、第２レリーズスイッチがオンされていなければ上記ステップＳ１５へ移行し、オンされていればステップＳ２６へ移行する。
【００９５】
これに対し、第２レリーズスイッチがオンされていれば、ステップＳ１７へ移行して、撮像素子６８によって露出・撮像の処理が行われる。次いで、ステップＳ１８にて、上記撮像素子６８から画像情報の読み込みが行われる。そして、ステップＳ１９にて画像処理コントローラ８２等により画像処理が行われる。更に、ステップＳ２０にて、上記ステップＳ１９で画像処理された画像データが記録メディア８５等に記録される。その後、上記ステップＳ２へ移行して以降の処理が繰り返される。
【００９６】
以上のように、第１の実施形態によれば、輝度値を検出しながら、補助光用ＬＥＤ９５、内蔵ストロボユニット４０、外部ストロボ装置５０と、順次補助光を切り替えて被写体に照射することで、エネルギーを低い順に効率良く使用することができる。
【００９７】
（第２の実施形態）
次に、本発明の第２の実施形態について説明する。
【００９８】
本発明の電子カメラでは、レンズとの通信により該レンズのデータから装着されたレンズの種類がわかるため、ＡＦ補助光の光軸からの位置関係や撮影レンズ内の前玉レンズの繰り出し量、若しくは被写体までの距離から、補助光がケラレを発生するか否かが予めわかる。したがって、本発明の第２の実施形態では、ケラレが発生した場合にも補助光を順次切り替えることができるようにしたものである。
【００９９】
尚、第２の実施形態に於けるカメラの構成及び基本的な動作については、図１乃至図８に示される第１の実施形態のカメラと同じであるので、同一の部分には同一の参照番号を付して、その図示及び説明を省略し、異なる部分についてのみ説明する。
【０１００】
以下、図１３乃至図１５のフローチャートを参照して、本発明の第２の実施形態に於けるカメラの動作について説明する。尚、このカメラの動作は、主にＢμｃｏｍ８０の制御によって行われる。
【０１０１】
図１３は、第２の実施形態に於けるカメラ１の基本的な動作を説明するフローチャートである。尚、図１３のフローチャートに於いて、ステップＳ１０１〜Ｓ１０８、及びステップＳ１１０〜Ｓ１２１の処理動作については、上述した図９のフローチャートのステップＳ１〜Ｓ８、及びステップＳ９〜Ｓ２０と同じであるので、それぞれ対応するステップ番号を参照してここでの説明は省略する。
【０１０２】
ステップＳ１０８に於いて、レリーズ釦２１の半押し操作である第１レリーズスイッチがオンされた場合は、ステップＳ１０９に移行して、装着されているレンズ鏡筒１０のレンズデータが取得される。このレンズデータとは、例えば、レンズの種類、繰り出し量、前玉レンズの位置等である。尚、ここでデータが取得されるレンズ鏡筒は、光軸方向の全長が変化するタイプのものである。そして、このステップＳ１０９にてレンズデータが取得されたならば、ステップＳ１１１０に移行する。
【０１０３】
また、ステップＳ１１３にて合焦していないと判定されてステップＳ１１４でレンズ駆動された後に再びステップＳ１０９にてレンズデータ取得が行われるのは、ステップＳ１１４のレンズ駆動によってレンズ鏡筒１０の全長が変化していることがあるからである。
【０１０４】
したがって、レンズ駆動が行われた後は、必ずレンズデータの取得が行われるようになっている。
【０１０５】
次に、図１４及び図１５のフローチャートを参照して、図１３のフローチャートに於けるステップＳ１１１のサブルーチン「測距」の詳細な動作について説明する。このフローチャートは、レンズのデータから、予めケラレの発生がわかっている場合のものである。
【０１０６】
尚、図１４及び図１５のフローチャートに於いて、ステップＳ１３１〜Ｓ１４６、及びステップＳ１５０〜Ｓ１７７の動作については、上述した図１１及び図１２のフローチャートのステップＳ５１〜Ｓ６６、及びステップＳ６７〜Ｓ９４と同じであるので、それぞれ対応するステップ番号を参照してここでの説明は省略する。
【０１０７】
ステップＳ１３１にて前回の積分が低輝度であった場合、ステップＳ１３２にて前回の積分がローコントラストであった場合、ステップＳ１３８にて低輝度フラグがセットされた後、及びステップＳ１４３にてローコントラストフラグがセットされた後は、ステップＳ１４７に移行する。そして、このステップＳ１４７では、レンズデータからレンズの種類毎のテーブルが参照される。次いで、ステップＳ１４８にて、レンズ毎のテーブルから、繰り出し量若しくは被写体距離から、ケラレの発生の有無が演算される。
【０１０８】
そして、上記ステップＳ１４８の演算結果により、ステップＳ１４９に於いて、ケラレの発生の有無が判定される。その結果、ケラレの発生が無い場合はステップＳ１５０に移行して、ＡＦ補助光用ＬＥＤ点灯のための処理動作が行われる。一方、上記ステップＳ１４９にてケラレの発生が有ると判定された場合は、ＡＦ補助光用ＬＥＤ点灯の処理動作をスキップしてステップＳ１５７に移行する。
【０１０９】
このように第２の実施形態によれば、補助光によりケラレが発生する場合には補助光を順次切り替えて照射するので、補助光の照射範囲が広い状態でＡＦを行うことができる。
【０１１０】
尚、上述した第２の実施形態では、補助光用ＬＥＤ９５のケラレについてのみ判定するようにしているが、これに限られるものではなく、内蔵ストロボユニット４０や外部ストロボ装置５０についても適用可能である。
【０１１１】
以上、本発明の実施形態について説明したが、本発明は上述した実施形態以外にも、本発明の要旨を逸脱しない範囲で種々の変形実施が可能である。
【図面の簡単な説明】
【０１１２】
【図１】本発明に係る一眼レフレックスタイプのデジタルカメラの外観構成を示すもので、ストロボ発光ユニットを収納した状態のカメラを右側後方より見た斜視図である。
【図２】本発明に係る一眼レフレックスタイプのデジタルカメラの外観構成を示すもので、ストロボ発光ユニットをポップアップした状態のカメラを左側後方より見た斜視図である。
【図３】本発明に係る一眼レフレックスタイプのデジタルカメラの外観構成を示すもので、ストロボ発光ユニットをポップアップした状態のカメラの正面図である。
【図４】本発明の第１の実施形態に於けるカメラのファインダ光学系の構成を示す斜視図である。
【図５】本発明の第１の実施形態に係るカメラのシステム構成を示すブロック図である。
【図６】図５に示される駆動回路４７及びＡＦ補助光用ＬＥＤ４８の回路構成の例を示した図である。
【図７】本発明の第１の実施形態に於けるカメラ１の基本的な動作を説明するフローチャートである。
【図８】図７のフローチャートのステップＳ５に於けるサブルーチン「常時測距」の動作を説明するフローチャートである。
【図９】図７のフローチャートのステップＳ１１及びＳ２０に於けるサブルーチン「測距」の動作を説明するフローチャートである。
【図１０】図７のフローチャートのステップＳ１１及びＳ２０に於けるサブルーチン「測距」の動作を説明するフローチャートである。
【図１１】本発明の第１の実施形態の変形例を示すもので、第１の実施形態に於いてＭＦ時のＡＦ補助光をＬＥＤから可視光ランプに替えた場合の駆動回路及びその周辺の回路構成図である。
【図１２】本発明の第２の実施形態を示すもので、第１の実施形態に於いてＡＦ補助光をＬＥＤから可視光ランプに替えた場合の駆動回路及びその周辺の回路構成図である。
【図１３】本発明の第２の実施形態に於けるカメラの基本的な動作のうち、図７のフローチャートのステップＳ１１またはＳ２０のサブルーチン「測距」の動作について説明するフローチャートである。
【図１４】本発明の第２の実施形態に於けるカメラの基本的な動作のうち、図７のフローチャートのステップＳ１１またはＳ２０のサブルーチン「測距」の動作について説明するフローチャートである。
【図１５】本発明の第３の実施形態に於けるカメラの基本的な動作のうち、図７のフローチャートのステップＳ１１またはＳ２０のサブルーチン「測距」の動作について説明するフローチャートである。
【符号の説明】
【０１１３】
１…カメラ、１０…レンズ鏡筒、１１…撮影レンズ、１３…レンズ駆動機構、１４…絞り駆動機構、１５…レンズ制御用マイクロコンピュータ（Ｌμｃｏｍ）、２０…カメラ本体、２１…レリーズ釦、２２…モードダイヤル、２６…液晶モニタ、３３…ファインダ、３４…ポップアップ釦、４０…ストロボ発光ユニット、４１…ストロボ発光部、４４…充電発光制御回路、４７…駆動回路、４８…ＡＦ補助光用発光ダイオード（ＬＥＤ）、５０…ファインダ光学系、５１…第１反射ミラー、５２…第２反射ミラー、５３…第３反射ミラー、５４…第４反射ミラー、５６…フォーカシングスクリーン、５７…接眼レンズ、６０…結像レンズ、６１…表示用撮像素子、６３…測光センサ、６６…シャッタ、６７…撮影用撮像素子、７１…ＡＦセンサユニット、７２…ＡＦセンサ駆動回路、７３…ミラー駆動機構、７５…シャッタチャージ機構、７６…シャッタ制御回路、８０…ボディ制御用マイクロコンピュータ（Ｂμｃｏｍ）、８１…インターフェイス回路、８２…画像処理コントローラ、８５…記録メディア、８７…測光回路。
【図１】
2007121427.tif 000003
【図２】
2007121427.tif 000004
【図３】
2007121427.tif 000005
【図４】
2007121427.tif 000006
【図５】
2007121427.tif 000007
【図６】
2007121427.tif 000008
【図７】
2007121427.tif 000009
【図８】
2007121427.tif 000010
【図９】
2007121427.tif 000011
【図１０】
2007121427.tif 000012
【図１１】
2007121427.tif 000013
【図１２】
2007121427.tif 000014
【図１３】
2007121427.tif 000015
【図１４】
2007121427.tif 000016
【図１５】
2007121427.tif 000017